(57)【要約】【課題】一定周期で発生する妨害波の検出精度を高め、空きチャンネル検索効率を向上させること。【解決手段】複数の無線チャンネルのうちいずれか一つの無線チャンネルを用いて無線通信装置と無線通信を行う無線送信部１４ａ、無線受信部１４ｂと、無線チャンネルの電界強度を検出する検出部１５と、検出基準時間からランダム時間が経過したスキャンタイミングを設定し、当該設定した検出タイミングで複数の無線チャンネルの電界強度を検出部により検出させる制御部１０と、を備えた無線通信装置。【選択図】図４
2011015051.tif 000002
【特許請求の範囲】
【請求項１】
複数の無線チャンネルのうちいずれか一つの無線チャンネルを用いて無線通信装置と無線通信を行う通信部と、
前記無線チャンネルの電界強度を検出する検出部と、
予め定められた時間からランダムな時間が経過した検出タイミングを設定し、当該設定した検出タイミングで前記複数の無線チャンネルの電界強度を前記検出部より検出する制御部と、
を備えたこと、
を特徴とする無線通信装置。
【請求項２】
前記制御部は、
前記検出部より前記複数の無線チャンネルの電界強度を複数回検出し、検出回毎に前記検出タイミングを設定し、当該検出回毎に設定された検出タイミングで前記複数の無線チャンネルの電界強度を前記検出部より検出すること、
を特徴とする請求項１に記載の無線通信装置。
【請求項３】
前記制御部は、
前記無線チャンネル毎に複数の検出回で検出された電界強度の平均値を算出し、
当該平均値が予め設定された閾値よりも大きい無線チャンネルを妨害波が存在する無線チャンネルと判別すること、
を特徴とする請求項２に記載の無線通信装置。
【請求項４】
前記制御部は、
前記無線チャンネル毎の妨害波の存在の判別結果に基づいて、前記通信部にて用いられている無線チャンネルが妨害波が存在する無線チャンネルである場合、前記通信部にて用いられる無線チャンネルを電界強度が小さい無線チャンネルに変更すること、
を特徴とする請求項３に記載の無線通信装置。
【請求項５】
前記ランダムな時間は、前記予め定められた時間よりも短い時間であること、
を特徴とする請求項１から４のいずれか一項に記載の無線通信装置。
【請求項６】
複数の無線チャンネルのうちいずれか一つの無線チャンネルを用いて無線通信装置と無線通信を行う通信部を有する無線通信装置のコンピュータを、
前記無線チャンネルの電界強度を検出する検出手段、
予め定められた時間からランダムな時間が経過した検出タイミングを設定し、当該設定した検出タイミングで前記複数の無線チャンネルの電界強度を前記検出部より検出する制御手段、
として機能させるためのプログラム。
【発明の詳細な説明】
【技術分野】
【０００１】
本発明は、無線通信装置及びプログラムに関する。
【背景技術】
【０００２】
近年、無線通信を用いてデータを送受信する無線通信システムでは、予め設定された無線周波数帯域を所定の帯域幅で互いに重ならないように複数の無線チャンネルに分割し、このうち何れか一つの無線チャンネルを使用して、無線通信を行っている。
このような無線通信システムでは、無線通信路の通信状況の品質を測定するため、無線チャンネルの電界強度の検知（エネルギースキャン）を行なっている。
【０００３】
例えば、アクセスポイントの電波強度を予め定められた時間間隔で測定し、電波強度が第１の閾値を下回るとスキャン間隔でスキャンを実行して他のアクセスポイントに接続し、電波強度が第３の閾値を超えるとスキャンの実行を中止する技術が開示されている（特許文献１参照）。
【０００４】
また、電界強度の測定の技術として、移動機からのパケットの送信時の誤り率や、干渉波測定間のフレーム誤り状況に応じて可変な周期に基づき、電界強度を測定して干渉波の検出を行なうものがある（特許文献２参照）。
【先行技術文献】
【特許文献】
【０００５】
【特許文献１】特開２００７−３１１８５１号公報
【特許文献２】特開平９−２５２４８２号公報
【発明の概要】
【発明が解決しようとする課題】
【０００６】
しかしながら、引用文献１では、予め設定された時間間隔でエネルギースキャンが実行され、引用文献２では、誤り率に応じて設定された周期でエネルギースキャンが実行される。そのため、引用文献１及び２のような従来技術では、エネルギースキャンを実行するタイミングに周期性がある。
【０００７】
従来技術のようにエネルギースキャンのタイミングに周期性がある技術では、妨害波が存在する周期と当該エネルギースキャンの周期が同一周期であって、エネルギースキャンのタイミングに当該妨害波が存在する場合、常に妨害波を検出してしまうこととなる。そのため、実際には妨害波が発生していない時間が長く、データ送受信を行なうための十分な時間が得られる無線チャンネルであるにもかかわらず、通信状況が悪い無線チャンネルと判別されてしまう。
【０００８】
また、妨害波が存在する周期と当該エネルギースキャンの周期が同一周期であって、エネルギースキャンのタイミングに当該妨害波が存在しない場合には、妨害波を検出することができない。そのため、実際には妨害波が発生している時間が長くデータ送受信を行なうための十分な時間が得られない無線チャンネルであるにもかかわらず、通信状況が良い無線チャンネル（空きチャンネル）と判別されてしまう。この無線チャンネルが通信に使用されると、他の無線チャンネルに切り替わりにくくなり、また、通信エラー等の通信障害の発生率が高くなるという問題が生じる。
【０００９】
本発明の課題は、上記問題に鑑みて、一定周期で発生する妨害波の検出精度を高め、空きチャンネル検索効率を向上させることである。
【課題を解決するための手段】
【００１０】
以上の課題を解決するため、請求項１記載の発明は、複数の無線チャンネルのうちいずれか一つの無線チャンネルを用いて無線通信装置と無線通信を行う通信部と、前記無線チャンネルの電界強度を検出する検出部と、予め定められた時間からランダムな時間が経過した検出タイミングを設定し、当該設定した検出タイミングで前記複数の無線チャンネルの電界強度を前記検出部より検出する制御部と、を備えた無線通信装置であること、を特徴としている。
更に、コンピュータを上述した請求項１記載の発明に示した主要手段として機能させるためのプログラムを提供する（請求項６記載の発明）。
【００１１】
請求項２記載の発明は、請求項１に記載の無線通信装置において、前記制御部は、前記検出部より前記複数の無線チャンネルの電界強度を複数回検出し、検出回毎に前記検出タイミングを設定し、当該検出回毎に設定された検出タイミングで前記複数の無線チャンネルの電界強度を前記検出部より検出すること、を特徴としている。
【００１２】
請求項３記載の発明は、請求項２に記載の無線通信装置において、前記制御部は、前記無線チャンネル毎に複数の検出回で検出された電界強度の平均値を算出し、当該平均値が予め設定された閾値よりも大きい無線チャンネルを妨害波が存在する無線チャンネルと判別すること、を特徴としている。
【００１３】
請求項４記載の発明は、請求項３に記載の無線通信装置において、前記制御部は、前記無線チャンネル毎の妨害波の存在の判別結果に基づいて、前記通信部にて用いられている無線チャンネルが妨害波が存在する無線チャンネルである場合、前記通信部にて用いられる無線チャンネルを電界強度が小さい無線チャンネルに変更すること、を特徴としている。
【００１４】
請求項５記載の発明は、請求項１から４のいずれか一項に記載の無線通信装置において、前記ランダムな時間は、前記予め定められた時間よりも短い時間であること、を特徴としている。
【発明の効果】
【００１５】
本発明によれば、一定周期で発生する妨害波の検出精度を高め、空きチャンネル検索効率を向上させることができる。
【図面の簡単な説明】
【００１６】
【図１】無線通信システムの概略構成図を示す。
【図２】無線中継装置の概略構成図を示す。
【図３】チャンネルスキャン処理のメインフローチャートである。
【図４】検出処理のフローチャートである。
【図５】検出処理で実行されるエネルギースキャンのタイムチャートである。
【発明を実施するための形態】
【００１７】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００１８】
まず、構成を説明する。
図１に、本実施の形態における無線通信システムＡの概略構成図を示す。
図１に示すように、無線通信システムＡは、通信ネットワークＮを介して他の無線中継装置又は外部装置と接続された無線中継装置１と、無線中継装置１と無線を介して接続される複数の無線端末装置２と、を備えている。
【００１９】
無線通信システムＡでは、予め設定された周波数帯域を複数に分割した複数の無線チャンネルのいずれか一つが用いられ、無線中継装置１と無線端末装置２との間で無線通信が行われる。例えば、２．４[GHz]帯の周波数帯域を１１[ch]〜２６[ch]の全１６チャンネルに分割し、何れか一の無線チャンネルを用いて、無線中継装置１と無線端末装置２との間で無線通信が行われる。
以下、無線中継装置１及び無線端末装置２を無線通信装置とも総称する。
【００２０】
図２に、無線中継装置１の概略構成図を示す。
図２に示すように、無線中継装置１は、制御部１０、記憶部１１、端末情報用メモリ１２、タイマ１３、無線送信部１４ａ、無線受信部１４ｂ、検出部１５、ＳＷ（切替部）１６、Ｉ／Ｆ（InterFace）部１７、バッファ１８、アンテナ１９等を備え、各部が電気的に接続されている。
【００２１】
制御部１０は、ＣＰＵ（Central Processing Unit）、ＲＯＭ（Read Only Memory）、ＲＡＭ（Random Access Memory）等を備える。制御部１０は、記憶部１１や端末情報用メモリ１２に記憶されている各種プログラム、各種テーブルやデータ等の中から指定されたプログラム、テーブルやデータを読み出し、ＲＡＭ又は記憶部１１や端末情報用メモリ１２のワークエリアに展開し、上記プログラムとの協働によって各種処理を実行し、その処理結果をＲＡＭ内又は記憶部１１や端末情報用メモリ１２の所定の領域に格納するとともに、無線中継装置１内の各部に指示して、無線中継装置１の動作全般を統括的に制御する。
【００２２】
また、制御部１０は、予め複数の無線チャンネルに分割されている無線周波数帯域のうち最も干渉波レベルが低く電波状況の良い無線チャンネルを、無線端末装置２と無線通信を行う際に使用する無線チャンネル（使用チャンネル）として選択するために、無線チャンネルの通信状況の検証を行なう。この通信状況の検証を行なうため、制御部１０は、使用チャンネルを含む複数の無線チャンネルの電界強度を定期的に検出（エネルギースキャン）する検出処理を実行する。
【００２３】
本実施の形態における検出処理では、複数の無線チャンネルの電界強度の検出が予め設定された検出回数実行される。複数の無線チャンネルの電界強度を検出する検出タイミング（スキャンタイミング）は、検出回毎に設定される。そして、当該設定されたスキャンタイミングで複数の無線チャンネルの電界強度が検出部１５により検出される。
即ち、予め設定された検出回数が複数の場合には、複数の無線チャンネル（例えば、１１[ch]〜２６[ch]の全１６チャンネル）の電界強度が、検出回毎に異なるスキャンタイミングで連続して複数回検出されることとなる。
【００２４】
設定されるスキャンタイミングは、予め定められた時間（検出基準時間）からランダムな時間（ランダム時間）が経過したタイミングである。また、ランダム時間は、０以上検出基準時間よりも短い時間である。
このように、検出基準時間よりも短い時間をランダムな時間として設定することができる。
【００２５】
更に、検出処理では、解析処理と妨害波検出処理とが実行される。
解析処理では、予め設定された検出回数が複数の場合には、無線チャンネル毎に複数の検出回で検出された電界強度の平均値が算出され、当該平均値と予め設定された閾値とが比較される。一方、予め設定された検出回数が１の場合には、無線チャンネル毎の検出された電界強度が、検出回数が複数の場合に算出される平均値に相当するものとして処理される。
妨害波検出処理では、予め設定された閾値よりも平均値が大きい無線チャンネルが、妨害波が存在する無線チャンネルとして判別される。
【００２６】
記憶部１１は、磁気的、光学的記録媒体又は半導体等の電気的に消去及び書き換えが可能な不揮発性メモリで構成されており、無線中継装置１に固定的に設けられたもの又は着脱自在に装着されるものである。また、記憶部１１には、制御部１０により実行される本実施の形態において実行される処理のプログラムや各種プログラム及びこれらプログラムで使用される各種テーブルやデータ、電界強度テーブル等が記憶されている。
【００２７】
本実施の形態における電界強度テーブルには、各無線チャンネルの電界強度の平均値、妨害波が存在する無線チャンネルのチャンネル番号等が記憶されている。
【００２８】
端末情報用メモリ１２は、電気的に消去及び書き換えが可能なメモリで構成されている。端末情報用メモリ１２には、無線中継装置１と接続される無線端末装置２それぞれの固有の情報が示されたノードアドレス等の端末情報が記憶されている。
【００２９】
タイマ１３は、検出処理を実行するタイミングの間隔（検出処理間隔）を計時し、検出処理間隔に達する度に検出処理開始タイミング信号を制御部１０に出力する。また、タイマ１３は、検出処理が実行される際には、検出基準時間やランダム時間を計時し、当該計時信号を制御部１０に出力する。なお、タイマ１３の機能を制御部１０が有してもよい。
【００３０】
無線送信部１４ａは、変調回路やＲＦ（Radio Frequency）回路等を備えており、パケットの送信電力の調整を行うと共に、制御部１０からの指示に応じて送信するデータの符号化を行なってパケットを構成し、構成したパケットの変調を行い、アンテナ１９を介して無線端末装置２へパケットの送信を行う。
【００３１】
無線受信部１４ｂは、復調回路やＲＦ回路等を備えており、パケットの受信感度の調整を行うと共に、アンテナ１９を介して受信したパケットの復調を行い、復調したパケットの解析を行って得られたデータを制御部１０に出力する。
【００３２】
無線送信部１４ａ、無線受信部１４ｂ、及びアンテナ１９により、複数の無線チャンネルのいずれか一つを用いて無線通信装置である無線端末装置２と無線通信を行う通信部が実現される。
【００３３】
検出部１５は、アンテナ１９を介して無線通信に利用される複数の無線チャンネル（例えば、１１〜２６[ch]）それぞれの電界強度を検出する。なお、検出部１５の機能を無線受信部１４ｂが備えるとしてもよい。
【００３４】
ＳＷ１６は、無線送信部１４ａ、無線受信部１４ｂ及び検出部１５と、アンテナ１９と、の間に設けられており、制御部１０からの指示に従って、アンテナ１９と接続する各部（無線送信部１４ａ、無線受信部１４ｂ、検出部１５）を切り替える。
【００３５】
Ｉ／Ｆ部１７は、所定の通信方式により通信ネットワークＮを介して接続されている他の無線中継装置１又は外部装置と通信を行うための通信制御を行う。
【００３６】
バッファ１８は、Ｉ／Ｆ部１７を介して受信したデータを一時的に記憶する。
【００３７】
無線端末装置２は、制御部、記憶部、タイマ、無線受信部、検出部、ＳＷ（切替部）、アンテナ等を備え、各部が電気的に接続されており、複数の無線チャンネルのうち何れか一のチャンネルを用いて、無線中継装置１と無線通信を行う。
【００３８】
また、本実施の形態の無線端末装置２は、使用チャンネルの通信状況が悪化した場合等に無線中継装置１と無線通信を行う無線チャンネルを新たに探す必要がある場合、無線中継装置１と同様にチャンネルスキャン処理を実行する。
なお、無線端末装置２で実行されるチャンネルスキャン処理は、無線中継装置１で実行されるチャンネルスキャン処理と同様であるため、図示及び説明は省略する。即ち、無線端末装置２は、無線中継装置１と同様のチャンネルスキャン処理を実行するため、無線中継装置１及び無線端末装置２は、無線通信装置として実現される。
【００３９】
次に、本実施の形態の動作を説明する。
図３に、無線中継装置１において実行される本実施の形態のチャンネルスキャン処理のメインフローチャートを示す。なお、図３に示す処理は、無線中継装置１内の制御部１０と各部との協働により実行されるものであり、無線中継装置１に電力が供給されている間に実行されるものである。
【００４０】
制御部１０は、タイマ１３から検出処理開始タイミング信号が入力されたか否かを判別する（ステップＳ１）。検出処理開始タイミング信号が入力された場合（ステップＳ１；ＹＥＳ）、制御部１０は、検出処理を実行する（ステップＳ２）。制御部１０は、ステップＳ２後、各無線チャンネルの電界強度の平均値や、妨害波が検出された無線チャンネルのチャンネル番号等を、電界強度テーブルに書き換え（ステップＳ３）、ステップＳ１の処理に戻る。
【００４１】
検出処理開始タイミング信号が入力されていない場合（ステップＳ１；ＮＯ）、制御部１０は、アンテナ１９を介して無線受信部１４ｂにより受信すべきデータがあるか否かを判別する（ステップＳ４）。受信すべきデータがない場合（ステップＳ４；ＮＯ）、制御部１０は、ステップＳ６の処理に進む。受信すべきデータがある場合（ステップＳ４；ＹＥＳ）、制御部１０は、当該受信すべきデータの受信処理を実行する（ステップＳ５）。
【００４２】
制御部１０は、ステップＳ５後又はステップＳ４；ＮＯ後、無線送信部１４ａから送信すべきデータがあるか否かを判別する（ステップＳ６）。送信すべきデータがない場合（ステップＳ６；ＮＯ）、制御部１０は、ステップＳ８の処理に進む。送信すべきデータがある場合（ステップＳ６；ＹＥＳ）、制御部１０は、当該送信すべきデータの送信処理を実行する（ステップＳ７）。
【００４３】
制御部１０は、ステップＳ７後又はステップＳ６；ＮＯ後、記憶部１１から電界強度テーブルを読み出し（ステップＳ８）、現在、無線端末装置２と無線通信を行うために無線送信部１４ａ及び無線受信部１４ｂで使用している無線チャンネル（使用チャンネル）の通信状況が悪化しているか否かを判別する（ステップＳ９）。
【００４４】
ステップＳ９では、電界強度テーブルが参照され、使用チャンネルが妨害波が存在する無線チャンネルであるか否かが判別される。使用チャンネルが妨害波が存在する無線チャンネルである場合、使用チャンネルの通信状況が悪化していると判別される。
【００４５】
使用チャンネルの通信状況が悪化した場合（ステップＳ９；ＹＥＳ）、制御部１０は、電界強度テーブルを参照し、通信状況の良い（電界強度が最も小さい若しくは比較的小さい）無線チャンネルに使用チャンネルを変更して（ステップＳ１０）、ステップＳ１の処理に戻る。
【００４６】
使用チャンネルの通信状況が悪化していない場合（ステップＳ９；ＮＯ）、制御部１０は、通信品質評価処理を実行する（ステップＳ１１）。
ステップＳ１１で実行される通信品質評価処理では、使用チャンネルを用いて送信したデータに対するＡＣＫ信号の受信率やパケットエラーの発生率が、予め設定された比率以上か否か等が判別することにより、使用チャンネルの通信品質が悪化しているか否かが評価される。
【００４７】
制御部１０は、ステップＳ１１後、使用チャンネルの通信品質が悪化しているか否かを判別する（ステップＳ１２）。使用チャンネルの通信品質が悪化している場合（ステップＳ１２；ＹＥＳ）、制御部１０は、ステップＳ１０の処理に進む。使用チャンネルの通信品質が悪化していない場合（ステップＳ１２；ＮＯ）、制御部１０は、ステップＳ１の処理に進む。
【００４８】
図４に、ステップＳ２で実行される本実施の形態の検出処理のフローチャートを示す。
制御部１０は、まず、検出回数ｎを１に設定する（ステップＳ２１）。
そして、制御部１０は、検出基準時間ｔにランダム時間αを加算した時間を検出回数がｎのスキャンタイミングＴｎとして設定する（ステップＳ２２）。
【００４９】
制御部１０は、ステップＳ２２後、タイマ１３に検出基準時間ｔの計時を開始させる（ステップＳ２３）。また、制御部１０は、検出基準時間ｔに新たなランダム時間αを加算した時間を検出回数がｎ＋１のスキャンタイミングＴｎ＋１として設定する（ステップＳ２４）。
【００５０】
制御部１０は、検出基準時間ｔが経過したか否かをタイマ１３から入力される計時信号に基づいて判別する（ステップＳ２５）。検出基準時間ｔが経過していない場合（ステップＳ２５；ＮＯ）、制御部１０は、ステップＳ２５の処理に戻る。
【００５１】
検出基準時間ｔが経過した場合（ステップＳ２５；ＹＥＳ）、制御部１０は、検出回数がｎのスキャンタイミングＴｎを算出した際のランダム時間αの計時と、検出基準時間ｔの計時をタイマ１３に開始させる（ステップＳ２６）。
【００５２】
制御部１０は、検出回数がｎのスキャンタイミングＴｎを算出した際のランダム時間αが経過したか否かをタイマ１３から入力される計時信号に基づいて判別する（ステップＳ２７）。検出回数がｎのスキャンタイミングＴｎを算出した際のランダム時間αが経過していない場合（ステップＳ２７；ＮＯ）、制御部１０は、ステップＳ２７の処理に戻る。
【００５３】
検出回数がｎのスキャンタイミングＴｎを算出した際のランダム時間αが経過した場合（ステップＳ２７；ＹＥＳ）、制御部１０は、複数の無線チャンネル（例えば、１１〜２６[ch]）の電界強度をそれぞれ検出させるエネルギースキャンを検出部１５に実行させ（ステップＳ２８）、検出回数ｎに１を加算する（ステップＳ２９）。
【００５４】
制御部１０は、ステップＳ２９後、検出回数ｎが予め設定された検出回数Ｎよりも大きいか否かを判別する（ステップＳ３０）。即ち、ステップＳ３０では、各無線チャンネルに対して電界強度の検出（エネルギースキャン）をＮ回実行したか否かが判別される。
【００５５】
検出回数ｎが予め設定された検出回数Ｎ以下の場合（ステップＳ３０；ＮＯ）、制御部１０は、ステップＳ２４の処理に戻る。
【００５６】
検出回数ｎが予め設定された検出回数Ｎよりも大きい場合（ステップＳ３０；ＹＥＳ）、制御部１０は、Ｎ回のエネルギースキャンの実行結果の解析処理を実行する（ステップＳ３１）。ステップＳ３１では、無線チャンネル毎に、Ｎ回の電界強度の平均値が算出され、当該平均値と予め設定された閾値とが比較される。
【００５７】
制御部１０は、ステップＳ３１後、妨害波検出処理を実行し（ステップＳ３２）、本処理を終了する。ステップＳ３２では、ステップＳ３１での解析処理の結果に基づいて、予め設定された閾値よりも平均値が大きい無線チャンネルが、妨害波が存在する無線チャンネルとして判別される。
【００５８】
図５に、検出処理で実行されるエネルギースキャンのタイムチャートを示す。
図５に示すように、予め設定された検出基準時間ｔが経過したタイミングを検出基準タイミングとする。スキャンタイミングは、検出基準時間ｔの経過後ランダム時間αが経過したタイミングである。即ち、スキャンタイミングは、検出基準タイミングを基準として、ランダム時間αずらしたタイミングとなる。
なお、図５に示すタイムチャートは、予め設定された検出回数Ｎが５に設定された場合の例である。
【００５９】
例えば、検出処理が開始されると、検出回数ｎに１が設定され、検出回数ｎ＝１のスキャンタイミングＴ１＝ｔ＋αが設定される。そして時刻ｔ１のとき、検出基準時間ｔの計時が開始される。この検出基準時間ｔが計時されている間（時刻ｔ１〜ｔ２の間）に、検出回数ｎ＋１＝２のスキャンタイミングＴ２の設定が行なわれる。
【００６０】
時刻ｔ２のとき、時刻ｔ１から検出基準時間ｔが経過すると、検出回数ｎ＝１のスキャンタイミングＴ１を算出した際のランダム時間αの計時と、検出基準時間ｔの計時が開始される。
【００６１】
時刻ｔ３のとき、即ち、時刻ｔ２から検出回数ｎ＝１のスキャンタイミングＴ１を算出した際のランダム時間αが経過したときが、検出回数ｎ＝１のスキャンタイミングとなる。この時刻ｔ３のときに、エネルギースキャンが実行され、また、検出回数ｎに１が加算されて検出回数ｎ＝２となる。
そして、検出回数ｎ＝２が予め設定された検出回数Ｎ＝５以下であることから、検出基準時間ｔが計時されている間（時刻ｔ３〜ｔ４の間）に、検出回数ｎ＋１＝３のスキャンタイミングＴ３の設定が行なわれる。
【００６２】
時刻ｔ４のとき、時刻ｔ２から検出基準時間ｔが経過すると、検出回数ｎ＝２のスキャンタイミングＴ２を算出した際のランダム時間αの計時と、検出基準時間ｔの計時が開始される。
【００６３】
時刻ｔ５のとき、即ち、時刻ｔ４から検出回数ｎ＝２のスキャンタイミングＴ２を算出した際のランダム時間αが経過したときが、検出回数ｎ＝２のスキャンタイミングとなる。この時刻ｔ５のときに、エネルギースキャンが実行され、また、検出回数ｎに１が加算されて検出回数ｎ＝３となる。
そして、検出回数ｎ＝３が予め設定された検出回数Ｎ＝５以下であることから、検出基準時間ｔが計時されている間（時刻ｔ５〜ｔ６の間）に、検出回数ｎ＋１＝４のスキャンタイミングＴ４の設定が行なわれる。
【００６４】
時刻ｔ６のとき、時刻ｔ４から検出基準時間ｔが経過すると、検出回数ｎ＝３のスキャンタイミングＴ３を算出した際のランダム時間αの計時と、検出基準時間ｔの計時が開始される。
【００６５】
時刻ｔ７のとき、即ち、時刻ｔ６から検出回数ｎ＝３のスキャンタイミングＴ３を算出した際のランダム時間αが経過したときが、検出回数ｎ＝３のスキャンタイミングとなる。この時刻ｔ７のときに、エネルギースキャンが実行され、また、検出回数ｎに１が加算されて検出回数ｎ＝４となる。
そして、検出回数ｎ＝４が予め設定された検出回数Ｎ＝５Ｎ以下であることから、検出基準時間ｔが計時されている間（時刻ｔ７〜ｔ８の間）に、検出回数ｎ＋１＝５のスキャンタイミングＴ５の設定が行なわれる。
【００６６】
時刻ｔ８のとき、時刻ｔ６から検出基準時間ｔが経過すると、検出回数ｎ＝４のスキャンタイミングＴ４を算出した際のランダム時間αの計時と、検出基準時間ｔの計時が開始される。なお、ここでは、スキャンタイミングＴ４を検出した際のランダム時間αは０に設定されたものとする。
【００６７】
時刻ｔ８のとき、即ち、時刻ｔ８から検出回数ｎ＝４のスキャンタイミングＴ４を算出した際のランダム時間α＝０が経過したときが、検出回数ｎ＝４のスキャンタイミングとなる。この時刻ｔ８のときに、エネルギースキャンが実行され、また、検出回数ｎに１が加算されて検出回数ｎ＝５となる。
そして、検出回数ｎ＝５が予め設定された検出回数Ｎ以下であることから、検出基準時間ｔが計時されている間（時刻ｔ８〜ｔ９の間）に、検出回数ｎ＋１＝６のスキャンタイミングＴ６の設定が行なわれる。
【００６８】
時刻ｔ９のとき、時刻ｔ８から検出基準時間ｔが経過すると、検出回数ｎ＝５のスキャンタイミングＴ５を算出した際のランダム時間αの計時と、検出基準時間ｔの計時が開始される。
【００６９】
時刻ｔ１０のとき、即ち、時刻ｔ９から検出回数ｎ＝５のスキャンタイミングＴ５を算出した際のランダム時間αが経過したときが、検出回数ｎ＝５のスキャンタイミングとなる。この時刻ｔ１０のときに、スキエネルギースキャンが実行され、また、検出回数ｎに１が加算されて検出回数ｎ＝６となる。
そして、検出回数ｎ＝６が予め設定された検出回数Ｎ＝５よりも大きいことから、エネルギースキャンが終了される。
【００７０】
以上のように、本実施の形態によれば、検出基準時間ｔからランダム時間αが経過したスキャンタイミングで複数の無線チャンネルの電界強度を検出部１５により検出することができるため、一定周期で発生する妨害波の検出精度を高めることができ、空きチャンネルの検索効率の向上を図ることができる。
【００７１】
特に、予め設定された検出回数Ｎが複数回に設定された場合には、複数の無線チャンネルの電界強度を連続して複数回検出させ、検出回毎にスキャンタイミングを設定し、検出回毎に設定されたスキャンタイミングで複数の無線チャンネルの電界強度を検出部１５により検出させることができる。従って、検出回毎に異なったスキャンタイミングで検出された複数の電界強度を得ることができるため、一定周期で発生する妨害波の検出精度を高めることができ、空きチャンネルの検索効率を更に高めることができる。
【００７２】
また、無線チャンネル毎に、複数の検出回で検出された電界強度の平均値が予め設定された閾値よりも大きい無線チャンネルを妨害波が存在する無線チャンネルと判別することができる。
【００７３】
更に、無線チャンネル毎の妨害波の存在の判別結果に基づいて、使用チャンネルに妨害波が存在する場合には、電界強度が最も小さい若しくは比較的小さい無線チャンネルを使用チャンネルとして変更することができ、空きチャンネルの検索効率の向上を図ることができる。
【符号の説明】
【００７４】
１  無線中継装置
２  無線端末装置
１０  制御部
１１  記億部
１２  端末情報用メモリ
１３  タイマ
１４ａ  無線送信部
１４ｂ  無線受信部
１５  検出部
１６  ＳＷ
１７  Ｉ／Ｆ部
１８  バッファ
１９  アンテナ
Ａ  無線通信システム
Ｎ  通信ネットワーク 
【図１】
2011015051.tif 000003
【図２】
2011015051.tif 000004
【図３】
2011015051.tif 000005
【図４】
2011015051.tif 000006
【図５】
2011015051.tif 000007